(57)【特許請求の範囲】
【請求項１】
箱本体と扉を枢着する蝶番であって、蝶番ピンの端部に設けた着脱自在に設けたピン抜け止め具を、対向する平板部を円弧部により連設したＵ字状の抜け止め具本体の内側に蝶番ピンの端部に形成した細頸部の径より狭い嵌合用口部を持つ細頸部に嵌合する内円弧状嵌合部を設けたものとしたうえ対向する平板部の一方の平板部の先端面を箱本体、扉、蝶番板のどれかと当接可能に形成し、ピン抜け止め具を回動させて一方の平板部の先端面を箱本体、扉、蝶番板に当接させて他方の平板部の先端面に回動方向への力を加えたときに、一方の平板部の先端面を起点に円弧部が広げられて嵌合用口部が細頸部の径より開拡されて内円弧状嵌合部を細頸部から外すことができるものとしたことを特徴とする蝶番。
【請求項２】
Ｕ字状の抜け止め具本体の円弧部の外形を蝶番ピン挿通用の筒部の外形円弧面と略同一に形成した請求項１に記載の蝶番。
【請求項３】
Ｕ字状の抜け止め具本体の対向する平板部の内側に起立片を突出させて内円弧状嵌合部を形成した請求項１又は２に記載の蝶番。
【発明の詳細な説明】
【技術分野】
【０００１】
本発明は、配電盤、分電盤等の電気機器、電子機器、通信機器などの収納箱の箱本体と扉を枢着する場合に容易に蝶番ピンを着脱でき扉を箱本体から取り外すことができる蝶番に関するものである。
【背景技術】
【０００２】
従来の蝶番ピンを着脱できる蝶番としては、図７に示すように蝶番ピン１０１の端部に設けた細頸部１０２にＥリング１０３を嵌合させたものが一般的である。しかし、これはＥリング１０３の着脱に専用工具を使用しなければならず、また、着脱作業も厄介であるという問題がある。
【０００３】
そこで、これを解決するものとして図８に示すような、蝶番ピン１０１の端部に設けた細頸部１０２に、Ｌ字状の取手部１０４の両端に細頸部１０２の径より狭い開口部１０５ａを持つリング部１０５、１０５をそれぞれ設けて一方のリング部１０５を嵌合させて蝶番ピンの抜け止めとしたものがある（特許文献１参照）。これは細頸部１０２に嵌合しない他方のリング部１０５ａを摘みとして手指でつまんで作業できるので作業性はよいものである。ところが他方のリング部１０５が突出するためこれに作業者の手や衣服が引っ掛る虞がある。
【０００４】
また、図９に示すような、蝶番ピン１０１の細頸部１０２にピンキャップ１０６を嵌合させて抜け止めとしたものがある（特許文献２参照）。しかし、これは前記のような作業者の手や衣服が引っ掛る虞がないが、抜け止め強度が弱く、扉の開け閉めにより蝶番ピン１０１に掛かる軸線方向の力により外れてしまう虞があった。
【０００５】
【特許文献１】実開平５−４７２７７号公報
【特許文献２】実開平４−３６０８３号公報
【発明の開示】
【発明が解決しようとする課題】
【０００６】
本発明は前記のような問題点を解決して、蝶番ピンの着脱が専用工具を使用せず容易に行うことできるうえ作業者の手や衣服が引っ掛る虞がなく、さらには、扉の開け閉めにより蝶番ピンに掛かる軸線方向の力により外れてしまう虞のない蝶番を提供することを目的として完成されたものである。
【課題を解決するための手段】
【０００７】
本発明の蝶番は、箱本体と扉を枢着する蝶番であって、蝶番ピンの端部に設けた着脱自在に設けたピン抜け止め具を、対向する平板部を円弧部により連設したＵ字状の抜け止め具本体の内側に蝶番ピンの端部に形成した細頸部の径より狭い嵌合用口部を持つ細頸部に嵌合する内円弧状嵌合部を設けたものとしたうえ対向する平板部の一方の平板部の先端面を箱本体、扉、蝶番板のどれかと当接可能に形成し、ピン抜け止め具を回動させて一方の平板部の先端面を箱本体、扉、蝶番板に当接させて他方の平板部の先端面に回動方向への力を加えたときに、一方の平板部の先端面を起点に円弧部が広げられて嵌合用口部が細頸部の径より開拡されて内円弧状嵌合部を細頸部から外すことができるものとしたことを特徴とするものを基本の発明とする。
【０００８】
そして、この発明において、Ｕ字状の抜け止め具本体の円弧部の外形を蝶番ピン挿通用の筒部の外形円弧面と略同一に形成したり、Ｕ字状の抜け止め具本体の対向する平板部の内側に起立片を突出させて内円弧状嵌合部を形成することが好ましい。
【発明の効果】
【０００９】
前記のような本発明は、蝶番ピンの端部に設けた着脱自在に設けたピン抜け止め具を、対向する平板部を円弧部により連設したＵ字状の抜け止め具本体の内側に蝶番ピンの端部に形成した細頸部の径より狭い嵌合用口部を持つ細頸部に嵌合する内円弧状嵌合部を設けたものとしたので、嵌合用口部を細頸部に臨ませて押し込めば嵌合口部が押し広げられて内円弧状嵌合部が細頸部に位置した後に嵌合用口部が旧状に復帰して細頸部の径より狭くなり内円弧状嵌合部が細頸部から離脱することなく容易に嵌合されるものである。また、内円弧状嵌合部が細頸部に嵌合されているので扉の開け閉めにより蝶番ピンに掛かる軸線方向の力により外れてしまう虞のないものである。
【００１０】
そして、蝶番を電気機器収納箱の本体側と扉側に分離して扉を本体から外す場合には、抜け止め具本体の対向する平板部の少なくとも一方の平板部の先端面を箱本体、扉、蝶番板のどれかと当接可能に形成したものであるから、ピン抜け止め具を回動させて一方の平板部の先端面を箱本体、扉、蝶番板のどれかと当接させて他方の平板部の先端面を回動方向への力を加えれば本体又は扉に当接した一方の平板部の先端面を起点に円弧部が広げられて嵌合口部が細頸部の径より広くなり内円弧状嵌合部を細頸部から外すことができるものである。したがって、このような脱着作業には専用工具を必要としないものである。
【００１１】
なお、Ｕ字状の抜け止め具本体の円弧部の外形を蝶番ピン挿通用の筒部の外形円弧面と略同一に形成すれば、作業者の手や衣服が引っ掛る虞がないものである。また、Ｕ字状の抜け止め具本体の対向する平板部の内側に起立片を突出させて内円弧状嵌合部を形成すると円弧部の内側にリブ状となる平板部がないので嵌合用口部の開拡のための力が少なくすみピン抜け止め具の脱着がより容易となり手指のみで行うことができるものである。
【発明を実施するための最良の形態】
【００１２】
次に、本発明の好ましい実施の形態を図面に基づき説明する。
１は２枚の蝶番板２、２の各端部に互い違いに入り込むよう形成された筒状部２ａ、２ａに挿通して２枚の蝶番板２、２を枢支する蝶番ピンである。この蝶番ピン１は、一方の端部に前記筒状部２ａの一方の端面に係止する頭部１１を形成するとともに該頭部１１とは反対側の端部に細頸部１２を形成して、該端部にピン抜け止め具３を着脱自在に設けるものとしている。
【００１３】
前記したピン抜け止め具３は、対向する平板部３１、３１を円弧部３２により連設したＵ字状の抜け止め具本体３０の内側に蝶番ピン１の端部に形成した細頸部１２の径より狭い嵌合用口部３３ａを持つ細頸部１２に嵌合する内円弧状嵌合部３３を設けたものである。そして、対向する平板部３１、３１の少なくとも一方の平板部３１の先端面すなわち図示のものは両平板部３１、３１の先端面を電気機器収納箱の箱本体２０１と扉２０２のどちらか一方と当接可能に形成している。
【００１４】
また、前記Ｕ字状の抜け止め具本体３０の円弧部３２の外形を蝶番板２の筒状部２ａの外形円弧面と略同一に形成している。さらに、Ｕ字状の抜け止め具本体３０の対向する平板部３１、３１の内側に起立片３１ａを突出させてその端面を細頚部１２の外形と同一内円弧として円弧部３２の内側に中央を突出部を形成せず内円弧状嵌合部３３を設けたものとしている。なお、蝶番ピン１を一方の端部に頭部１１を形成するものとしているが、抜け止め具３を着脱自在に設けるものとしていもよい。また、ピン抜け止め具３は強靭で弾性のある合成樹脂製のものが安価に量産でき好ましいが金属製のものでもあってもよい。
【００１５】
このように構成されたものは、２枚の蝶番板２、２のうち本体側蝶番板２を電気機器収納箱の箱本体２０１に取り付けるとともに扉側蝶番板２を扉２０２に取り付け、蝶番板２、２の各端部に互い違いに入り込むよう形成された筒状部２ａ、２ａに蝶番ピン１を挿通して、頭部１１を筒状部２ａの一方の端面に係止するとともに該頭部１１とは反対側の端
部に形成した細頸部１２に抜け止め具３を嵌合させて使用することは従来の蝶番と同様である。
【００１６】
そして本発明は、蝶番ピン１の端部に設けた着脱自在に設けたピン抜け止め具３を、対向する平板部３１、３１を円弧部３２により連設したＵ字状の抜け止め具本体３０の内側に細頸部１２の径より狭い嵌合用口部３３ａを持つ細頸部１２に嵌合する内円弧状嵌合部３３を設けたものとしたので、嵌合用口部３３ａを細頸部１２に臨ませて押し込めば嵌合用口部３３ａが押し広げられて内円弧状嵌合部３３が細頸部１２に位置した後に嵌合用口部３３ａが旧状に復帰して細頸部１２の径より狭くなり内円弧状嵌合部３３が細頸部１２から離脱することなく嵌合されるものである。また、内円弧状嵌合部３３が細頸部１２に嵌合されているので扉２０２の開け閉めにより蝶番ピン１に掛かる軸線方向の力により外れてしまう虞のないものである。
【００１７】
また、扉の左右開きを反転させるためや、扉への機器取り付けのために扉２０２を箱本体２０１から取り外す場合に蝶番を電気機器収納箱の本体側と扉側に分離するため蝶番ピン１を外す時には、抜け止め具本体３０の対向する平板部３１、３１の一方の平板部３１の先端面を箱本体２０１、扉２０２、蝶番板２のどれかと当接可能に形成したものであるから、ピン抜け止め具３を回動させて一方の平板部３１の先端面を箱本体２０１又は扉２０２又は蝶番板２に当接させて他方の平板部３１の先端面に回動方向への力を加えたときに、一方の平板部３１の先端面を起点に円弧部３２が広げられて嵌合用口部３３ａが細頸部１２の径より開拡されて内円弧状嵌合部３３を細頸部１２から外すことができるので、蝶番ピン１を蝶番板２、２の筒状部２ａ、２ａから抜き取り蝶番を電気機器収納箱の箱本体側と扉側に分離して扉２０２を箱本体２０１から容易に外すことができるものである。そして、このような脱着作業には専用工具を必要としないものである。
【００１８】
なお、Ｕ字状の抜け止め具本体３０の円弧部３２の外形を蝶番板２の筒状部２ａ円弧面と略同一に形成すれば、作業者の手や衣服が引っ掛る虞がないものである。また、Ｕ字状の抜け止め具本体３０の対向する平板部３１、３１の内側に起立片を突出させて内円弧状嵌合部３３を形成すると円弧部３２の内側にリブ状となる突出部がないので嵌合用口部３３ａの開拡のための力が少なくすみピン抜け止め具３の脱着作業がより容易となり手指のみで行うことができるものである。
【図面の簡単な説明】
【００１９】
【図１】本発明の実施形態をピン抜け止め具を外して示す要部の斜視図。
【図２】本発明の実施形態を示す要部の斜視図。
【図３】ピン抜け止め具を示す図であり、（Ａ）は斜視図、（Ｂ）は正面図、（Ｃ）は側面図。
【図４】本発明の実施形態を示す要部の断面図。
【図５】本発明の実施形態を態様を異にして示す要部の断面図。
【図６】本発明の実施形態を示す全体斜視図。
【図７】従来例を示す斜視図。
【図８】他の従来例を示す斜視図。
【図９】他の従来例を示す斜視図。
【符号の説明】
【００２０】
１  蝶番ピン
12  細頸部
３  ピン抜け止め具
30  Ｕ字状の抜け止め具本体
31  平板部
32  円弧部
33  内円弧状嵌合部
33a  嵌合用口部
201  箱本体
202  扉
【図１】
0004803727.tif 000002
【図２】
0004803727.tif 000003
【図３】
0004803727.tif 000004
【図４】
0004803727.tif 000005
【図５】
0004803727.tif 000006
【図６】
0004803727.tif 000007
【図７】
0004803727.tif 000008
【図８】
0004803727.tif 000009
【図９】
0004803727.tif 000010